(57)【要約】【課題】蓄電装置の状態を適切に診断することができる蓄電装置診断システムを提供する。【解決手段】蓄電装置診断システム２１０は、過放電診断対象期間内の複数の単位期間のそれぞれにおける蓄電装置１０５の電池残量の最低値を取得することにより、過放電診断対象期間内の複数の単位期間における電池残量の複数の最低値を取得する取得部２１１と、過放電診断対象期間内の複数の単位期間における電池残量の複数の最低値に基づいて、蓄電装置１０５の過放電の有無を診断する診断部２１２とを備える。【選択図】図１
2018045844.tif 000002
【特許請求の範囲】
【請求項１】
過放電診断対象期間内の複数の単位期間のそれぞれにおける蓄電装置の電池残量の最低値を取得することにより、前記過放電診断対象期間内の複数の単位期間における前記電池残量の複数の最低値を取得する取得部と、
前記過放電診断対象期間内の複数の単位期間における前記電池残量の複数の最低値に基づいて、前記蓄電装置の過放電の有無を診断する診断部とを備える
蓄電装置診断システム。
【請求項２】
前記診断部は、前記過放電診断対象期間内の複数の単位期間における前記電池残量の複数の最低値の平均値が所定の過放電判定閾値よりも低い場合、または、前記過放電診断対象期間内の複数の単位期間のうち前記電池残量の最低値が前記所定の過放電判定閾値よりも低い単位期間の個数が所定の過放電判定個数よりも多い場合、前記過放電があると診断する
請求項１に記載の蓄電装置診断システム。
【請求項３】
前記蓄電装置診断システムは、さらに、前記過放電があると診断された場合、前記蓄電装置の放電量を減少させるための制御を行う制御部を備える
請求項１または２に記載の蓄電装置診断システム。
【請求項４】
前記取得部は、さらに、充電不足診断対象期間内の複数の単位期間のそれぞれにおける前記電池残量の最高値を取得することにより、前記充電不足診断対象期間内の複数の単位期間における前記電池残量の複数の最高値を取得し、
前記診断部は、さらに、前記充電不足診断対象期間内の複数の単位期間における前記電池残量の複数の最高値に基づいて、前記蓄電装置の充電不足の有無を診断する
請求項１または２に記載の蓄電装置診断システム。
【請求項５】
前記診断部は、前記充電不足診断対象期間内の複数の単位期間における前記電池残量の複数の最高値の平均値が所定の充電不足判定閾値よりも低い場合、または、前記充電不足診断対象期間内の複数の単位期間のうち前記電池残量の最高値が前記所定の充電不足判定閾値よりも低い単位期間の個数が所定の充電不足判定個数よりも多い場合、前記充電不足があると診断する
請求項４に記載の蓄電装置診断システム。
【請求項６】
前記蓄電装置診断システムは、さらに、前記充電不足があると診断された場合、前記蓄電装置の充電量を増加させるための制御を行う制御部を備える
請求項４または５に記載の蓄電装置診断システム。
【請求項７】
前記制御部は、前記充電不足があると診断された場合、前記蓄電装置の充電量を増加させるための制御を一時的に行う
請求項６に記載の蓄電装置診断システム。
【請求項８】
前記取得部は、さらに、過充電診断対象期間内の複数の単位期間のそれぞれにおける前記電池残量の最高値を取得することにより、前記過充電診断対象期間内の複数の単位期間における前記電池残量の複数の最高値を取得し、
前記診断部は、さらに、前記過充電診断対象期間内の複数の単位期間における前記電池残量の複数の最高値に基づいて、前記蓄電装置の過充電の有無を診断する
請求項１または２に記載の蓄電装置診断システム。
【請求項９】
前記診断部は、前記過充電診断対象期間内の複数の単位期間における前記電池残量の複数の最高値の平均値が所定の過充電判定閾値よりも高い場合、または、前記過充電診断対象期間内の複数の単位期間のうち前記電池残量の最高値が前記所定の過充電判定閾値よりも高い単位期間の個数が所定の過充電判定個数よりも多い場合、前記過充電があると診断する
請求項８に記載の蓄電装置診断システム。
【請求項１０】
前記蓄電装置診断システムは、さらに、前記過充電があると診断された場合、前記蓄電装置の充電量を減少させるための制御を行う制御部を備える
請求項８または９に記載の蓄電装置診断システム。
【請求項１１】
前記取得部は、さらに、容量低下診断対象期間内の複数の単位期間のそれぞれにおける前記電池残量の最低値と、前記電池残量が最低値である時点の前記蓄電装置の電池電圧とを取得することにより、前記容量低下診断対象期間内の複数の単位期間における前記電池残量の複数の最低値と前記蓄電装置の複数の電池電圧とを取得し、
前記診断部は、さらに、前記容量低下診断対象期間内の複数の単位期間における前記電池残量の複数の最低値と前記蓄電装置の複数の電池電圧とに基づいて、前記蓄電装置の容量低下の有無を診断する
請求項１〜１０のいずれか１項に記載の蓄電装置診断システム。
【請求項１２】
前記診断部は、前記容量低下診断対象期間内の複数の単位期間のうち前記電池残量の最低値によって定められる電圧範囲に前記蓄電装置の電池電圧が含まれない単位期間の個数が所定の容量低下判定個数よりも多い場合、前記容量低下があると診断する
請求項１１に記載の蓄電装置診断システム。
【請求項１３】
前記複数の単位期間のそれぞれは、２４時間である
請求項１〜１２のいずれか１項に記載の蓄電装置診断システム。
【請求項１４】
過放電診断対象期間内の複数の単位期間のそれぞれにおける蓄電装置の電池残量の最低値を取得することにより、前記過放電診断対象期間内の複数の単位期間における前記電池残量の複数の最低値を取得する取得ステップと、
前記過放電診断対象期間内の複数の単位期間における前記電池残量の複数の最低値に基づいて、前記蓄電装置の過放電の有無を診断する診断ステップとを含む
蓄電装置診断方法。
【請求項１５】
請求項１４に記載の蓄電装置診断方法をコンピュータに実行させるための
プログラム。
【発明の詳細な説明】
【技術分野】
【０００１】
本発明は、蓄電装置の状態を診断する蓄電装置診断システム等に関する。
【背景技術】
【０００２】
従来、蓄電装置の状態を診断するシステムが提案されている。特許文献１に記載の充放電システムは、その一例である。
【０００３】
この充放電システムは、鉛蓄電池の放電動作における電流を電流計で測定し、測定された電流から電流量を算出し、これを基準値と比較する。また、充放電システムは、電流量が基準値を下回っていると判断すると、基準電圧源の出力電圧を上昇させて鉛蓄電池を過充電する。そして、充放電システムは、再び放電動作における電流量を測定し、電流量の増加量が所定量以下である場合には鉛蓄電池は劣化しているとの判断を下す。
【先行技術文献】
【特許文献】
【０００４】
【特許文献１】特開２００３−１６３０３５号公報
【発明の概要】
【発明が解決しようとする課題】
【０００５】
しかしながら、蓄電装置の運用中において、蓄電装置の状態を適切に診断することは容易ではない。例えば、蓄電装置の電池残量の低下は、蓄電装置の劣化を進行させる可能性がある。そのため、蓄電装置の電池残量に従って、蓄電装置の状態が診断されてもよい。一方で、蓄電装置の電池残量の低下が蓄電装置の異常な状態と診断された場合、蓄電装置の有効利用が阻害される可能性がある。
【０００６】
そこで、本発明は、蓄電装置の状態を適切に診断することができる蓄電装置診断システム等を提供することを目的とする。
【課題を解決するための手段】
【０００７】
上記目的を達成するために、本発明の一態様に係る蓄電装置診断システムは、過放電診断対象期間内の複数の単位期間のそれぞれにおける蓄電装置の電池残量の最低値を取得することにより、前記過放電診断対象期間内の複数の単位期間における前記電池残量の複数の最低値を取得する取得部と、前記過放電診断対象期間内の複数の単位期間における前記電池残量の複数の最低値に基づいて、前記蓄電装置の過放電の有無を診断する診断部とを備える。
【０００８】
また、本発明の一態様に係る蓄電装置診断方法は、過放電診断対象期間内の複数の単位期間のそれぞれにおける蓄電装置の電池残量の最低値を取得することにより、前記過放電診断対象期間内の複数の単位期間における前記電池残量の複数の最低値を取得する取得ステップと、前記過放電診断対象期間内の複数の単位期間における前記電池残量の複数の最低値に基づいて、前記蓄電装置の過放電の有無を診断する診断ステップとを含む。
【発明の効果】
【０００９】
本発明の一態様に係る蓄電装置診断システム等は、蓄電装置の状態を適切に診断することができる。
【図面の簡単な説明】
【００１０】
【図１】本発明の実施の形態における蓄電装置診断システムの構成を示すブロック図
【図２】本発明の実施の形態における電力供給システムの構成を示すブロック図
【図３】本発明の実施の形態における蓄電装置の電池容量とサイクル数と放電深度との関係を模式的に示すグラフ
【図４】本発明の実施の形態における蓄電装置の過放電と想定される電池残量の変化を模式的に示すグラフ
【図５】本発明の実施の形態における過放電の指標を示すテーブル図
【図６】本発明の実施の形態における過放電の２段階の指標を示すテーブル図
【図７】本発明の実施の形態における蓄電装置診断システムが過放電を診断する動作を示すフローチャート
【図８】本発明の実施の形態における蓄電装置の充電が行われていないため蓄電装置の充電不足と想定される電池残量の変化を模式的に示すグラフ
【図９】本発明の実施の形態における蓄電装置の充電が十分に行われていないため蓄電装置の充電不足と想定される電池残量の変化を模式的に示すグラフ
【図１０】本発明の実施の形態における充電不足の指標を示すテーブル図
【図１１】本発明の実施の形態における充電不足の２段階の指標を示すテーブル図
【図１２】本発明の実施の形態における蓄電装置診断システムが充電不足を診断する動作を示すフローチャート
【図１３】本発明の実施の形態における蓄電装置の軽度の過充電と想定される電池残量の変化を模式的に示すグラフ
【図１４】本発明の実施の形態における蓄電装置の重度の過充電と想定される電池残量の変化を模式的に示すグラフ
【図１５】本発明の実施の形態における過充電の指標を示すテーブル図
【図１６】本発明の実施の形態における過充電の２段階の指標を示すテーブル図
【図１７】本発明の実施の形態における蓄電装置診断システムが過充電を診断する動作を示すフローチャート
【図１８】本発明の実施の形態における電池残量と電池電圧との関係を模式的に示すグラフ
【図１９】本発明の実施の形態における蓄電装置診断システムが容量低下を診断する動作を示すフローチャート
【図２０】本発明の実施の形態における診断結果の表示を示す模式図
【図２１】本発明の実施の形態における診断結果のレポートを示す模式図
【発明を実施するための形態】
【００１１】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１２】
また、以下の説明における第１、第２および第３などの序数は、適宜、付け替えられてもよい。また、以下の説明における電力、電圧、電池残量および電池容量などは、それらを示す情報を意味する場合がある。
【００１３】
（実施の形態）
［１．構成］
図１は、本実施の形態における蓄電装置診断システムの構成を示すブロック図である。図１には、蓄電装置１０５と蓄電装置診断システム２１０とが示されている。
【００１４】
蓄電装置１０５は、電気を蓄える装置である。蓄電装置１０５は、１以上の蓄電池を備えていてもよい。また、蓄電装置１０５は、充放電のためのコンバータを備えていてもよい。また、蓄電装置１０５は、他の装置（他の構成要素）と通信してもよい。また、蓄電装置１０５は、例えば、鉛蓄電池によって実装されてもよい。鉛蓄電池では、電池残量が１００％に近いほど、劣化が進行しにくい。蓄電装置１０５は、このような特性を有する他の蓄電池によって実装されてもよい。
【００１５】
蓄電装置診断システム２１０は、蓄電装置１０５の状態を診断するシステムである。例えば、蓄電装置診断システム２１０は、蓄電装置１０５の過放電、充電不足、過充電または容量低下の有無を診断する。また、蓄電装置診断システム２１０は、取得部２１１、診断部２１２および制御部２１３を備える。
【００１６】
取得部２１１は、蓄電装置１０５に関する情報を取得する取得器である。取得部２１１は、計測器を介して蓄電装置１０５に関する情報を取得してもよいし、蓄電装置１０５から蓄電装置１０５に関する情報を取得してもよい。
【００１７】
例えば、取得部２１１は、単位期間（例えば、２４時間）毎に蓄電装置１０５の電池残量の最低値を取得することにより、複数の単位期間における電池残量の複数の最低値を取得する。また、例えば、取得部２１１は、単位期間毎に蓄電装置１０５の電池残量の最高値を取得することにより、複数の単位期間における電池残量の複数の最高値を取得する。
【００１８】
また、例えば、取得部２１１は、単位期間毎に蓄電装置１０５の電池残量が最低値である時点の蓄電装置１０５の電池電圧を取得することにより、複数の単位期間における蓄電装置１０５の複数の電池電圧を取得する。
【００１９】
なお、単位期間における電池残量の最低値は、単位期間において電池残量を複数回計測することで得られる複数の計測値のうちの最低値でもよい。例えば、単位期間が２４時間であり、１時間間隔で電池残量が計測される場合、単位期間において２４個の計測値が得られる。単位期間における電池残量の最低値は、これらの計測値のうちの最低値でもよい。同様に、単位期間における電池残量の最高値は、単位期間において電池残量を複数回計測することで得られる複数の計測値のうちの最高値でもよい。
【００２０】
診断部２１２は、取得部２１１によって取得された情報に基づいて、蓄電装置１０５の状態を診断する診断器である。
【００２１】
例えば、診断部２１２は、取得部２１１で取得された複数の最低値に基づいて、蓄電装置１０５の過放電の有無を診断する。診断部２１２は、複数の最低値の平均値が所定の過放電判定閾値よりも低い場合、過放電があると診断してもよい。あるいは、診断部２１２は、電池残量の最低値が所定の過放電判定閾値よりも低い単位期間の個数（カウント数）が所定の過放電判定個数よりも多い場合、過放電があると診断してもよい。
【００２２】
また、例えば、診断部２１２は、取得部２１１で取得された複数の最高値に基づいて、蓄電装置１０５の充電不足の有無を診断する。診断部２１２は、複数の最高値の平均値が所定の充電不足判定閾値よりも低い場合、充電不足があると診断してもよい。あるいは、診断部２１２は、電池残量の最高値が所定の充電不足判定閾値よりも低い単位期間の個数が所定の充電不足判定個数よりも多い場合、充電不足があると診断してもよい。
【００２３】
また、例えば、診断部２１２は、取得部２１１で取得された複数の最高値に基づいて、蓄電装置１０５の過充電の有無を診断する。診断部２１２は、複数の最高値の平均値が所定の過充電判定閾値よりも高い場合、過充電があると診断してもよい。あるいは、診断部２１２は、電池残量の最高値が所定の過充電判定閾値よりも高い単位期間の個数が所定の過充電判定個数よりも多い場合、過充電があると診断してもよい。
【００２４】
また、例えば、診断部２１２は、取得部２１１で取得された複数の最低値および複数の電池電圧に基づいて、蓄電装置１０５の容量低下の有無を診断する。診断部２１２は、電池残量の最低値によって定められる電圧範囲に蓄電装置１０５の電池電圧が含まれない単位期間の個数が所定の容量低下判定個数よりも多い場合、容量低下があると診断してもよい。
【００２５】
なお、電池残量の最低値が所定の過放電判定閾値よりも低い単位期間の個数は、所定の過放電判定閾値よりも低い最低値の個数と表現され得る。また、電池残量の最高値が所定の充電不足判定閾値よりも低い単位期間の個数は、所定の充電不足判定閾値よりも低い最高値の個数と表現され得る。また、電池残量の最高値が所定の過充電判定閾値よりも高い単位期間の個数は、所定の過充電判定閾値よりも高い最高値の個数と表現され得る。
【００２６】
また、電池残量の最低値によって定められる電圧範囲に蓄電装置１０５の電池電圧が含まれない単位期間の個数は、電池残量の最低値によって定められる電圧範囲に含まれない電池電圧の個数と表現され得る。また、この個数は、電池残量の最低値によって定められる電圧範囲に蓄電装置１０５の電池電圧が含まれないような最低値と電池電圧との組み合わせの個数とも表現され得る。
【００２７】
制御部２１３は、診断部２１２における診断結果に基づいて、蓄電装置１０５の充電量または放電量を変化させるための制御を行う制御器である。例えば、制御部２１３は、診断部２１２によって過放電があると診断された場合、蓄電装置１０５の放電量を減少させるための制御を行う。
【００２８】
また、例えば、制御部２１３は、診断部２１２によって充電不足があると診断された場合、蓄電装置１０５の充電量を増加させるための制御を行う。制御部２１３は、この場合、蓄電装置１０５の充電量を増加させるための制御を一時的に行ってもよい。また、例えば、制御部２１３は、診断部２１２によって過充電があると診断された場合、蓄電装置１０５の充電量を減少させるための制御を行う。
【００２９】
なお、蓄電装置診断システム２１０は、複数の診断対象期間において継続して過放電、充電不足または過充電があると診断された場合のみ、蓄電装置１０５の充電量または放電量を変化させるための制御を行ってもよい。この場合の複数の診断対象期間は、部分的に重複していてもよいし、重複せずに連続していてもよい。
【００３０】
また、蓄電装置診断システム２１０は、蓄電装置１０５の充電量または放電量を変化させるための制御を行わなくてもよい。この場合、蓄電装置診断システム２１０は、制御部２１３を備えていなくてもよい。蓄電装置診断システム２１０は、制御部２１３を備えていなくても、蓄電装置１０５を適切に診断することができる。
【００３１】
また、蓄電装置診断システム２１０は、蓄電装置１０５の充電量または放電量を変化させるための制御の代わりに、診断結果をユーザに通知することにより、ユーザに蓄電装置１０５の充電量または放電量を変化させるための制御を促してもよい。通知は診断部２１２によって行われてもよいし、制御部２１３によって行われてもよい。
【００３２】
図２は、図１に示された蓄電装置診断システム２１０を含む電力供給システムの構成を示すブロック図であり、蓄電装置診断システム２１０の適用例を示す。図２に示された電力供給システム４００は、発電蓄電設備１００および電力供給制御装置２００を備え、複数の負荷３００へ電力を供給する。例えば、電力供給システム４００は、無電化地域に設置される。
【００３３】
発電蓄電設備１００は、電力を発電し、電力を蓄電し、電力供給制御装置２００へ電力を供給する。また、発電蓄電設備１００は、太陽光発電装置１０１、第１変換部１０２、蓄電装置１０５および第２変換部１０６を備える。発電蓄電設備１００は、さらに、センサ１０３を備えていてもよいし、センサ１０４を備えていてもよい。
【００３４】
太陽光発電装置１０１は、太陽光を電力に変換することにより、電力を発電する装置である。太陽光発電装置１０１は、太陽電池を備えていてもよい。
【００３５】
第１変換部１０２は、電力の変換を行う装置である。例えば、第１変換部１０２は、太陽光発電装置１０１で発電された電力を所定の電圧の電力に変換する。第１変換部１０２は、ソーラーチャージャーと呼ばれる装置であってもよい。また、第１変換部１０２は、直流電力を所定の電圧の直流電力に変換するコンバータを備えていてもよい。また、第１変換部１０２は、他の装置と通信してもよい。また、第１変換部１０２は、過電流を抑制してもよい。
【００３６】
また、第１変換部１０２は、太陽光発電装置１０１から第１変換部１０２へ入力される電力を計測してもよいし、第１変換部１０２から蓄電装置１０５または第２変換部１０６へ出力される電力を計測してもよい。例えば、第１変換部１０２は、計測結果を電力供給制御装置２００へ送信してもよい。
【００３７】
センサ１０３は、第１変換部１０２から出力される電力を計測（検出）するセンサである。例えば、センサ１０３は、第１変換部１０２の出力端子の付近の電力線において、電流および電圧を計測（検出）することにより、第１変換部１０２から出力される電力を計測する。また、センサ１０３は、他の装置と通信してもよい。例えば、センサ１０３は、計測結果を電力供給制御装置２００へ送信してもよい。
【００３８】
センサ１０４は、蓄電装置１０５へ入力される電力、および、蓄電装置１０５から出力される電力を計測（検出）するセンサである。例えば、センサ１０４は、蓄電装置１０５の入出力端子の付近の電力線において、電流および電圧を計測（検出）することにより、蓄電装置１０５へ入力される電力、および、蓄電装置１０５から出力される電力を計測する。
【００３９】
例えば、蓄電装置１０５に向かって電流値がプラスを示す場合、蓄電装置１０５の充電が行われている。一方、蓄電装置１０５に向かって電流値がマイナスを示す場合、蓄電装置１０５の放電が行われている。
【００４０】
また、センサ１０４は、他の装置と通信してもよい。例えば、センサ１０４は、計測結果を電力供給制御装置２００へ送信してもよい。
【００４１】
蓄電装置１０５は、図１に示された蓄電装置１０５に対応する。本適用例において、蓄電装置１０５は、第１変換部１０２から蓄電装置１０５へ供給される電力を充電する。また、蓄電装置１０５が放電する電力は第２変換部１０６へ供給される。
【００４２】
第２変換部１０６は、電力の変換を行う装置である。例えば、第２変換部１０６は、直流電力を交流電力に変換する。第２変換部１０６は、インバータであってもよい。具体的には、第２変換部１０６は、第１変換部１０２または蓄電装置１０５から入力される直流電力を交流電力に変換する。そして、第２変換部１０６は、交流電力を電力供給制御装置２００へ供給する。
【００４３】
電力供給制御装置２００は、電力供給を制御する装置である。具体的には、電力供給制御装置２００は、発電蓄電設備１００から電力を受電し、負荷３００へ電力を供給する。また、電力供給制御装置２００は、通知部２０１、通信部２０２、計測部２０３、記憶部２０４、センサ２０５、取得部２１１、診断部２１２、制御部２１３、および、複数のリレー２２０を備える。
【００４４】
通知部２０１は、蓄電装置１０５の診断結果を通知する通知器である。通知部２０１は、ディスプレイまたはプリンタによって実装されてもよい。通知部２０１は、ディスプレイに蓄電装置１０５の診断結果を表示してもよいし、プリンタから蓄電装置１０５の診断結果をレポートとして印刷してもよい。また、通知部２０１は、他の装置と通信して、蓄電装置１０５の診断結果を送信してもよい。通知部２０１は、直接、他の装置と通信してもよいし、通信部２０２を介して、他の装置と通信してもよい。
【００４５】
通信部２０２は、有線または無線で他の装置と通信する通信器である。通信プロトコルは限定されず、どのような通信プロトコルが用いられてもよい。例えば、通信部２０２は、第１変換部１０２と通信し、第１変換部１０２から出力される電力の計測結果を受信する。また、例えば、通信部２０２は、第１変換部１０２へ制御情報を送信することにより、第１変換部１０２の出力電圧（出力電圧設定値）を変更させてもよい。
【００４６】
計測部２０３は、蓄電装置１０５の電池残量を計測する計測器である。また、計測部２０３は、蓄電装置１０５の電池残量の計測結果を記憶部２０４へ格納する。また、計測部２０３は、他の装置と通信してもよい。計測部２０３は、直接、他の装置と通信してもよいし、通信部２０２を介して、他の装置と通信してもよい。また、計測部２０３は、蓄電装置１０５へ入力される電力、および、蓄電装置１０５から出力される電力を計測することにより、蓄電装置１０５の電池残量を計測してもよい。
【００４７】
例えば、計測部２０３は、センサ１０４における計測結果を受信することにより、蓄電装置１０５へ入力される電力（入力電力）、および、蓄電装置１０５から出力される電力（出力電力）を計測する。そして、計測部２０３は、以下の式１を用いて、所定の時間間隔（例えば、１時間）毎に、電池残量を算出することにより、電池残量を計測する。
【００４８】
電池残量（％）＝（入力電力積算値−出力電力積算値）／電池容量×１００
・・・（式１）
【００４９】
計測部２０３は、誤差を抑制するため、上記の式１における入力電力積算値および出力電力積算値を単位期間（例えば、２４時間）毎にクリアしてもよい。例えば、計測部２０３は、電池残量が１００％以上として算出される場合に、入力電力積算値に電池容量を割り当て、出力電力積算値に０を割り当てることにより、入力電力積算値および出力電力積算値をクリアする。
【００５０】
また、例えば、計測部２０３は、センサ１０４における計測結果の代わりに、センサ１０３およびセンサ２０５における計測結果を用いて、蓄電装置１０５の電池残量を計測してもよい。
【００５１】
具体的には、計測部２０３は、センサ１０３における計測結果を受信することにより、第１変換部１０２から出力される電力（第１変換部１０２の出力電力）を計測する。計測部２０３は、センサ２０５における計測結果を受信することにより、第２変換部１０６から出力される電力（第２変換部１０６の出力電力）を計測する。
【００５２】
蓄電装置１０５の入出力電力は、第１変換部１０２の出力電力および第２変換部１０６の出力電力を用いて、以下の式２によって表現される。
【００５３】
（蓄電装置１０５の入出力電力）＝（第１変換部１０２の出力電力）−（第２変換部１０６の出力電力）／（第２変換部１０６の変換効率）
・・・（式２）
【００５４】
ここで、（第１変換部１０２の出力電力）＞（第２変換部１０６の出力電力）／（第２変換部１０６の変換効率）である場合、蓄電装置１０５の入出力電力は、蓄電装置１０５へ入力される電力を示す。一方、（第１変換部１０２の出力電力）＜（第２変換部１０６の出力電力）／（第２変換部１０６の変換効率）である場合、蓄電装置１０５の入出力電力は、蓄電装置１０５から出力される電力を示す。
【００５５】
また、第２変換部１０６の変換効率は、第２変換部１０６の特性として予め規定される。第２変換部１０６がインバータである場合、第２変換部１０６の変換効率は、インバータ効率とも表現され得る。
【００５６】
また、例えば、計測部２０３は、センサ１０３における計測結果の代わりに、第１変換部１０２における計測結果を用いて、第１変換部１０２の出力電力を計測してもよい。具体的には、計測部２０３は、第１変換部１０２における計測結果を受信することにより、第１変換部１０２から出力される電力（第１変換部１０２の出力電力）を計測する。
【００５７】
そして、計測部２０３は、第１変換部１０２およびセンサ２０５における計測結果を用いて、式２によって、蓄電装置１０５の電池残量を計測してもよい。これにより、計測部２０３は、汎用的な第１変換部１０２、および、汎用的なセンサ２０５を用いて、蓄電装置１０５の電池残量を計測することができる。
【００５８】
また、例えば、計測部２０３は、蓄電装置１０５の電池電圧を計測して、蓄電装置１０５の電池電圧の計測結果を蓄電装置１０５の電池残量と対応付けて記憶部２０４へ格納してもよい。また、計測部２０３は、センサ１０４と通信し、センサ１０４で計測された電圧を受信することにより、蓄電装置１０５から出力される電圧を蓄電装置１０５の電池電圧として計測してもよい。
【００５９】
また、計測部２０３は、蓄電装置１０５と通信することにより、蓄電装置１０５の電池残量を計測してもよいし、蓄電装置１０５の電池電圧を計測してもよい。
【００６０】
記憶部２０４は、情報を記憶するための記憶器（ストレージ）である。記憶部２０４は、揮発性メモリでもよいし、不揮発性メモリでもよい。記憶部２０４には、計測部２０３における計測結果が格納される。例えば、記憶部２０４には、計測部２０３で計測された電池残量の計測値が格納される。また、記憶部２０４には、計測部２０３で計測された電池電圧の計測値が格納されてもよい。また、記憶部２０４には、蓄電装置１０５を診断するための指標が予め格納されていてもよい。
【００６１】
センサ２０５は、第２変換部１０６から出力される電力を計測（検出）するセンサである。例えば、センサ２０５は、第２変換部１０６に接続される電力線において、電流および電圧を計測（検出）することにより、第２変換部１０６から出力される電力を計測する。そして、センサ２０５は、計測結果を計測部２０３へ送信する。
【００６２】
取得部２１１は、図１に示された取得部２１１に対応する。本適用例において、取得部２１１は、記憶部２０４から、所定の期間内のそれぞれの日について、蓄電装置１０５の電池残量の最低値を取得することで、所定の期間内の複数の日における電池残量の複数の最低値を取得する。例えば、取得部２１１は、７日間のそれぞれの日について、蓄電装置１０５の電池残量の最低値を取得することで、７日間について、７個の最低値を取得する。
【００６３】
また、取得部２１１は、記憶部２０４から、所定の期間内のそれぞれの日について、蓄電装置１０５の電池残量の最高値を取得することで、所定の期間内の複数の日における電池残量の複数の最高値を取得してもよい。また、取得部２１１は、記憶部２０４から、所定の期間内のそれぞれの日について、蓄電装置１０５の電池残量が最低値である時点の蓄電装置１０５の電池電圧を取得することで、所定の期間内の複数の日における蓄電装置１０５の複数の電池電圧を取得してもよい。
【００６４】
診断部２１２は、図１に示された診断部２１２に対応する。本適用例において、診断部２１２は、所定の期間内の複数の日における電池残量の複数の最低値に基づいて、蓄電装置１０５の過放電の有無を診断する。
【００６５】
また、診断部２１２は、所定の期間内の複数の日における電池残量の複数の最高値に基づいて、蓄電装置１０５の充電不足の有無を診断してもよい。また、診断部２１２は、所定の期間内の複数の日における電池残量の複数の最高値に基づいて、蓄電装置１０５の過充電の有無を診断してもよい。また、診断部２１２は、所定の期間内の複数の日における電池残量の複数の最低値および蓄電装置１０５の複数の電池電圧に基づいて、蓄電装置１０５の容量低下の有無を診断してもよい。
【００６６】
また、診断部２１２は、通知部２０１を介して蓄電装置１０５の診断結果をユーザに通知してもよいし、蓄電装置１０５の診断結果を制御部２１３へ送信してもよい。
【００６７】
制御部２１３は、図１に示された制御部２１３に対応する。本適用例において、制御部２１３は、蓄電装置１０５の診断結果に基づいて、通信部２０２を介して第１変換部１０２と通信し、第１変換部１０２の出力電圧（出力電圧設定値）を変更してもよい。例えば、制御部２１３は、第１変換部１０２の出力電圧を上げることにより、蓄電装置１０５の充電量を増加させてもよいし、第１変換部１０２の出力電圧を下げることにより、蓄電装置１０５の充電量を減少させてもよい。
【００６８】
ここで、第１変換部１０２の出力電圧は、第１変換部１０２の出力電圧の上限値でもよいし、第１変換部１０２の出力電圧の目標値でもよい。つまり、制御部２１３は、第１変換部１０２の出力電圧の上限値を変更してもよいし、第１変換部１０２の出力電圧の目標値を変更してもよい。
【００６９】
また、制御部２１３は、蓄電装置１０５の診断結果に基づいて、複数のリレー２２０のそれぞれの開閉を切り替えてもよい。制御部２１３は、複数のリレー２２０のうちいずれか１以上を開くことにより、蓄電装置１０５の放電量を減少させてもよい。また、制御部２１３は、複数のリレー２２０のうちいずれか１以上を開くことにより、蓄電装置１０５の充電量を増加させてもよい。
【００７０】
また、制御部２１３は、複数のリレー２２０の優先順に従って、複数のリレー２２０のそれぞれの開閉を切り替えてもよい。具体的には、制御部２１３は、優先度の低いリレー２２０を開いてもよい。複数のリレー２２０の優先順は、複数の負荷３００の優先順に基づいて定められてもよい。
【００７１】
複数のリレー２２０は、発電蓄電設備１００と複数の負荷３００とを電気的に接続または切断する電気回路である。１つのリレー２２０は、発電蓄電設備１００と１つの負荷３００とを電気的に接続または切断する。例えば、リレー２２０は、制御部２１３が行う制御に従って、発電蓄電設備１００と負荷３００とを電気的に切断する。
【００７２】
複数の負荷３００は、電力を消費する設備である。１つの負荷３００は、１つの電気機器でもよいし、１つの施設でもよい。
【００７３】
なお、図２において、蓄電装置診断システム２１０は、取得部２１１、診断部２１２および制御部２１３を含む。蓄電装置診断システム２１０は、さらに、電力供給システム４００に含まれる他の構成要素を含んでもよい。また、図２において、蓄電装置診断システム２１０は、電力供給制御装置２００に含まれている。しかし、蓄電装置診断システム２１０の全ての構成要素が１つの装置（１つの筐体）に含まれていなくてもよい。
【００７４】
また、取得部２１１は、通信部２０２を含んでもよいし、計測部２０３を含んでもよいし、記憶部２０４を含んでもよいし、センサ１０３を含んでもよいし、センサ１０４を含んでもよいし、センサ２０５を含んでもよい。また、診断部２１２は、通知部２０１を含んでもよい。また、制御部２１３は、通信部２０２を含んでもよい。
【００７５】
［２．過放電］
図３は、図１および図２に示された蓄電装置１０５の電池容量とサイクル数と放電深度との関係を模式的に示すグラフである。図３において、縦軸は蓄電装置１０５の電池容量を示し、横軸は蓄電装置１０５のサイクル数を示す。なお、１サイクルは、１回の充放電に対応する。より具体的には、１サイクルは、空状態から満充電状態までの充電、および、満充電状態から空状態までの放電に対応する。
【００７６】
蓄電装置１０５の電池容量は、満充電状態における蓄電装置１０５の放電可能量に対応する。図３において、電池容量は、初期の満充電状態における蓄電装置１０５の放電可能量に対する一時点の満充電状態における蓄電装置１０５の放電可能量の割合を示すＳＯＨ（Ｓｔａｔｅ  Ｏｆ  Ｈｅａｌｔｈ）で表現されている。
【００７７】
蓄電装置１０５の電池容量の減少は、蓄電装置１０５の劣化を示す。蓄電装置１０５のサイクル数の増加に伴って、蓄電装置１０５は劣化し、蓄電装置１０５の電池容量は減少する。また、放電深度が深いほど、蓄電装置１０５の電池容量が速く減少する。放電深度は、電池容量に対する電池容量と電池残量との差の割合である。すなわち、１度で大きく蓄電装置１０５を放電させずに、複数回で小さく蓄電装置１０５を放電させることで、蓄電装置１０５の電池容量の減少は抑制される。
【００７８】
図４は、図１および図２に示された蓄電装置１０５の過放電と想定される電池残量の変化を模式的に示すグラフである。図４において、縦軸は蓄電装置１０５の電池残量を示し、横軸は時間を示す。蓄電装置１０５の電池残量は、蓄電装置１０５の放電可能量に対応する。ここで、電池残量は、満充電状態における蓄電装置１０５の放電可能量に対する一時点における蓄電装置１０５の放電可能量の割合を示すＳＯＣ（Ｓｔａｔｅ  Ｏｆ  Ｃｈａｒｇｅ）で表現されている。
【００７９】
蓄電装置１０５の電池残量は、時間の経過に伴って変化する。図４では、複数回、電池残量が所定の過放電判定閾値を下回っている。つまり、放電深度が深い。これにより、蓄電装置１０５の劣化が進行する可能性がある。そこで、蓄電装置診断システム２１０は、図４に示されているような、蓄電装置１０５の過放電の有無を診断する。
【００８０】
なお、蓄電装置１０５の電池容量、電池残量、満充電状態および空状態等は、所定の基準により定められてもよい。例えば、蓄電装置１０５の電池残量は、蓄電装置１０５に入力される電力の積算値、および、蓄電装置１０５から出力される電力の積算値等を用いて、上述した式１により定められてもよい。
【００８１】
図５は、図１および図２に示された蓄電装置１０５の過放電に関する指標を示すテーブル図である。記憶部２０４に、図５に示された指標が予め格納されていてもよい。取得部２１１は、指標によって規定される過放電診断対象期間内の電池残量の複数の最低値を取得する。診断部２１２は、指標によって規定される過放電判定閾値よりも、取得部２１１で取得された複数の最低値の平均値が低い場合、過放電があると診断する。
【００８２】
図５の例において、取得部２１１は、７日間における電池残量の７個の最低値を取得する。診断部２１２は、４０％よりも７個の最低値の平均値が低い場合、過放電があると診断する。
【００８３】
図６は、図１および図２に示された蓄電装置１０５の過放電に関する２段階の指標を示すテーブル図である。記憶部２０４に、図６に示された指標が予め格納されていてもよい。図６には、第１過放電診断対象期間と第１過放電判定閾値との組、および、第２過放電診断対象期間と第２過放電判定閾値との組で表現される２種類の指標が示されている。
【００８４】
例えば、取得部２１１は、指標によって規定される第１過放電診断対象期間内の電池残量の複数の最低値を取得する。診断部２１２は、指標によって規定される第１過放電判定閾値よりも、第１過放電診断対象期間内の電池残量の複数の最低値の平均値が低い場合、重度の過放電があると診断する。
【００８５】
また、取得部２１１は、指標によって規定される第２過放電診断対象期間内の電池残量の複数の最低値を取得する。診断部２１２は、指標によって規定される第２過放電判定閾値よりも、第２過放電診断対象期間内の電池残量の複数の最低値の平均値が低い場合、軽度の過放電があると診断する。
【００８６】
図６の例において、取得部２１１は、７日間における電池残量の７個の最低値を取得する。診断部２１２は、４０％よりも７個の最低値の平均値が低い場合、重度の過放電があると診断する。また、診断部２１２は、５０％よりも７個の最低値の平均値が低い場合、軽度の過放電があると診断する。
【００８７】
これにより、蓄電装置診断システム２１０は、重度の過放電の有無、および、軽度の過放電の有無を診断することができる。つまり、蓄電装置診断システム２１０は、過放電のレベルを診断することができる。
【００８８】
なお、図５および図６の例において、診断部２１２は、電池残量の複数の最低値の平均値を用いているが、電池残量の最低値が過放電判定閾値よりも低い単位期間の個数を用いてもよい。そして、診断部２１２は、最低値が過放電判定閾値よりも低い単位期間の個数が所定の過放電判定個数よりも多い場合、過放電があると診断してもよい。つまり、電池残量の最低値が過放電判定閾値よりも低い日数が所定の過放電判定個数（所定の日数）よりも多い場合、過放電があると診断してもよい。
【００８９】
図７は、図１および図２に示された蓄電装置診断システム２１０が過放電を診断する動作を示すフローチャートである。
【００９０】
まず、取得部２１１は、過放電診断対象期間内の複数の単位期間のそれぞれにおける蓄電装置１０５の電池残量の最低値を取得することにより、過放電診断対象期間内の複数の単位期間における電池残量の複数の最低値を取得する（Ｓ１０１）。複数の単位期間のそれぞれは、例えば、２４時間である。
【００９１】
次に、診断部２１２は、過放電診断対象期間内の複数の単位期間における電池残量の複数の最低値に基づいて、蓄電装置１０５の過放電の有無を診断する（Ｓ１０２）。
【００９２】
例えば、診断部２１２は、過放電診断対象期間内の複数の単位期間における電池残量の複数の最低値の平均値が所定の過放電判定閾値よりも低い場合、過放電があると診断してもよい。また、例えば、診断部２１２は、過放電診断対象期間内の複数の単位期間のうち、電池残量の最低値が所定の過放電判定閾値よりも低い単位期間の個数が所定の過放電判定個数よりも多い場合、過放電があると診断してもよい。
【００９３】
また、診断部２１２は、蓄電装置１０５の過放電の有無に関する診断結果を通知してもよい。
【００９４】
そして、制御部２１３は、過放電があると診断された場合、蓄電装置１０５の放電量を減少させるための制御を行う（Ｓ１０３）。例えば、制御部２１３は、１以上のリレー２２０を開くことにより、蓄電装置１０５の放電量を減少させてもよい。
【００９５】
なお、制御部２１３が行う制御（Ｓ１０３）は省略されてもよい。蓄電装置診断システム２１０は、過放電の有無に関する診断結果をユーザに通知することにより、負荷３００の数を減少させる等の運用改善をユーザに促してもよい。
【００９６】
また、制御部２１３は、複数の過放電診断対象期間を含む所定の猶予期間（例えば、６０日間）以上、診断部２１２によって過放電があると継続して診断された場合のみ、蓄電装置１０５の放電量を減少させるための制御を行ってもよい。つまり、制御部２１３は、ユーザによって運用改善が行われなかった場合のみ、蓄電装置１０５の放電量を減少させるための制御を行ってもよい。
【００９７】
［３．充電不足］
次に、蓄電装置１０５の充電不足を説明する。蓄電装置１０５の電池残量が１００％に近い状態で維持された場合、蓄電装置１０５の劣化が抑制される。逆に、蓄電装置１０５の電池残量が１００％に近い状態で維持されない場合、蓄電装置１０５の劣化が進行する。したがって、充電が不十分である場合、蓄電装置１０５の劣化が進行する。
【００９８】
図８は、図１および図２に示された蓄電装置１０５の充電が行われていないため蓄電装置１０５の充電不足と想定される電池残量の変化を模式的に示すグラフである。図８において、図４と同様に、縦軸は蓄電装置１０５の電池残量を示し、横軸は時間を示す。図８は、蓄電装置１０５の放電後、蓄電装置１０５が放置されている状態を示す。
【００９９】
図８では、蓄電装置１０５の放電後、蓄電装置１０５の充電が行われず、電池残量が所定の第１充電不足判定閾値よりも低い状態のままである。このような場合、蓄電装置１０５が充電不足であると想定され、蓄電装置１０５の劣化が進行すると想定される。
【０１００】
図９は、図１および図２に示された蓄電装置１０５の充電が十分に行われていないため蓄電装置１０５の充電不足と想定される電池残量の変化を模式的に示すグラフである。図９において、図８と同様に、縦軸は蓄電装置１０５の電池残量を示し、横軸は時間を示す。図９は、蓄電装置１０５の放電後、蓄電装置１０５の充電が十分に行われることなく、充電と放電とが繰り返されている状態を示す。
【０１０１】
図９では、蓄電装置１０５の放電後、蓄電装置１０５の充電が十分に行われず、電池残量が所定の第２充電不足判定閾値よりも低い状態のままである。このような場合、蓄電装置１０５が充電不足であると想定され、蓄電装置１０５の劣化が進行すると想定される。
【０１０２】
蓄電装置診断システム２１０は、図８または図９に示されるような、蓄電装置１０５の充電不足の有無を診断する。
【０１０３】
なお、本実施の形態における蓄電装置１０５に対して、１００％よりも高い推奨レベルに電池残量が到達するまで、蓄電装置１０５の充電を行うことが推奨されている。つまり、満充電状態における蓄電装置１０５の放電可能量を超えて、蓄電装置１０５の充電を行うことが推奨されている。図９における第２充電不足判定閾値は、充電完了時の推奨レベルでもよい。
【０１０４】
図１０は、図１および図２に示された蓄電装置１０５の充電不足に関する指標を示すテーブル図である。記憶部２０４に、図１０に示された指標が予め格納されていてもよい。
【０１０５】
取得部２１１は、指標によって規定される充電不足診断対象期間内の複数の単位期間における電池残量の複数の最高値を取得する。診断部２１２は、充電不足診断対象期間内の複数の単位期間のうち、指標によって規定される充電不足判定閾値よりも最高値が低い単位期間の個数が、指標によって規定される充電不足判定個数よりも多い場合、充電不足があると診断する。つまり、診断部２１２は、最高値が充電不足判定閾値よりも低い日数が充電不足判定個数よりも多い場合、充電不足があると診断する。
【０１０６】
図１０の例において、取得部２１１は、７日間について、電池残量の７個の最高値を取得する。診断部２１２は、７日間のうち、最高値が９５％よりも低い日数が３よりも多い場合、充電不足があると診断する。
【０１０７】
図１１は、図１および図２に示された蓄電装置１０５の充電不足に関する２段階の指標を示すテーブル図である。記憶部２０４に、図１１に示された指標が予め格納されていてもよい。図１１には、第１充電不足診断対象期間と第１充電不足判定個数と第１充電不足判定閾値との組、および、第２充電不足診断対象期間と第２充電不足判定個数と第２充電不足判定閾値との組で表現される２種類の指標が示されている。
【０１０８】
例えば、取得部２１１は、指標によって規定される第１充電不足診断対象期間内の複数の単位期間における電池残量の複数の最高値を取得する。診断部２１２は、第１充電不足診断対象期間内の複数の単位期間のうち、指標によって規定される第１充電不足判定閾値よりも最高値が低い単位期間の個数が、指標によって規定される第１充電不足判定個数よりも多い場合、重度の充電不足があると診断する。つまり、診断部２１２は、第１充電不足診断対象期間において、最高値が第１充電不足判定閾値よりも低い日数が第１充電不足判定個数よりも多い場合、重度の充電不足があると診断する。
【０１０９】
また、取得部２１１は、指標によって規定される第２充電不足診断対象期間内の複数の単位期間における電池残量の複数の最高値を取得する。診断部２１２は、第２充電不足診断対象期間内の複数の単位期間のうち、指標によって規定される第２充電不足判定閾値よりも最高値が低い単位期間の個数が、指標によって規定される第２充電不足判定個数よりも多い場合、軽度の充電不足があると診断する。つまり、診断部２１２は、第２充電不足診断対象期間において、最高値が第２充電不足判定閾値よりも低い日数が第２充電不足判定個数よりも多い場合、軽度の充電不足があると診断する。
【０１１０】
図１１の例において、取得部２１１は、７日間について、電池残量の７個の最高値を取得する。そして、診断部２１２は、７日間のうち、最高値が９５％よりも低い日数が３よりも多い場合、重度の充電不足があると診断する。また、取得部２１１は、３０日間について、電池残量の３０個の最高値を取得する。そして、診断部２１２は、３０日間のうち、最高値が１０５％よりも低い日数が１０よりも多い場合、軽度の充電不足があると診断する。
【０１１１】
これにより、蓄電装置診断システム２１０は、重度の充電不足の有無、および、軽度の充電不足の有無を診断することができる。つまり、蓄電装置診断システム２１０は、充電不足のレベルを診断することができる。
【０１１２】
なお、図１０および図１１の例において、診断部２１２は、複数の単位期間のうち電池残量の最高値が充電不足判定閾値よりも低い単位期間の個数を用いているが、電池残量の複数の最高値の平均値を用いてもよい。そして、診断部２１２は、電池残量の複数の最高値の平均値が充電不足判定閾値よりも低い場合、充電不足があると診断してもよい。
【０１１３】
図１２は、図１および図２に示された蓄電装置診断システム２１０が充電不足を診断する動作を示すフローチャートである。
【０１１４】
まず、取得部２１１は、充電不足診断対象期間内の複数の単位期間のそれぞれにおける蓄電装置１０５の電池残量の最高値を取得することにより、充電不足診断対象期間内の複数の単位期間における電池残量の複数の最高値を取得する（Ｓ２０１）。複数の単位期間のそれぞれは、例えば、２４時間である。
【０１１５】
次に、診断部２１２は、充電不足診断対象期間内の複数の単位期間における電池残量の複数の最高値に基づいて、蓄電装置１０５の充電不足の有無を診断する（Ｓ２０２）。
【０１１６】
例えば、診断部２１２は、充電不足診断対象期間内の複数の単位期間における電池残量の複数の最高値の平均値が充電不足判定閾値よりも低い場合、充電不足があると診断してもよい。また、例えば、診断部２１２は、充電不足診断対象期間内の複数の単位期間のうち電池残量の最高値が充電不足判定閾値よりも低い単位期間の個数が充電不足判定個数よりも多い場合、充電不足があると診断してもよい。
【０１１７】
また、診断部２１２は、蓄電装置１０５の充電不足の有無に関する診断結果を通知してもよい。
【０１１８】
そして、制御部２１３は、診断部２１２によって充電不足があると診断された場合、蓄電装置１０５の充電量を増加させるための制御を行う（Ｓ２０３）。例えば、制御部２１３は、第１変換部１０２の出力電圧を上げることにより、蓄電装置１０５の充電量を増加させてもよい。また、制御部２１３は、１以上のリレー２２０を開くことにより、蓄電装置１０５の充電量を増加させてもよい。
【０１１９】
制御部２１３は、診断部２１２によって充電不足があると診断された場合、蓄電装置１０５の充電量を増加させるための制御を一時的に行ってもよい。つまり、制御部２１３は、所定の限定期間（例えば、１時間から２４時間までの期間）のみ、蓄電装置１０５の充電量を増加させるための制御を行ってもよい。
【０１２０】
具体的には、制御部２１３は、一時的に、第１変換部１０２の出力電圧を上げることにより、蓄電装置１０５の電池残量を充電不足判定閾値以上（あるいは所定の推奨レベル以上）にしてもよい。その後、制御部２１３は、第１変換部１０２の出力電圧を通常の出力電圧に戻してもよい。このような処理は、リフレッシュ充電または電池回復処理と呼ばれる場合がある。
【０１２１】
なお、制御部２１３が行う制御（Ｓ２０３）は省略されてもよい。蓄電装置診断システム２１０は、充電不足の有無に関する診断結果をユーザに通知することにより、第１変換部１０２の設定変更、または、負荷３００の数の減少等の運用改善をユーザに促してもよい。
【０１２２】
また、制御部２１３は、複数の充電不足診断対象期間を含む所定の猶予期間（例えば、６０日間）以上、診断部２１２によって充電不足があると継続して診断された場合のみ、蓄電装置１０５の充電量を増加させるための制御を行ってもよい。つまり、制御部２１３は、ユーザによって運用改善が行われなかった場合のみ、蓄電装置１０５の充電量を増加させるための制御を行ってもよい。
【０１２３】
また、制御部２１３は、所定の猶予期間以上、充電不足があると継続して診断された場合、一時的に、蓄電装置１０５の充電量を増加させるための制御を行ってもよい。例えば、この場合、制御部２１３は、一時的に、第１変換部１０２の出力電圧を上げる。これにより、制御部２１３は、蓄電装置１０５の電池残量を充電不足判定閾値以上にしてもよい。
【０１２４】
ここで、日射不足により第１変換部１０２の出力電圧が上がらない場合、制御部２１３は、翌日に第１変換部１０２の出力電圧を上げてもよい。また、複数の負荷３００の大きな需要電力により、蓄電装置１０５の充電量が増加しない場合、制御部２１３は、１以上のリレー２２０を開くことにより、蓄電装置１０５の充電量を増加させてもよい。これにより、制御部２１３は、より確実に、電池回復処理を行う。
【０１２５】
また、制御部２１３は、一時的に第１変換部１０２の出力電圧を上げる電池回復処理が繰り返して行われる場合、恒久的に第１変換部１０２の出力電圧を高くしてもよい。
【０１２６】
［４．過充電］
次に、蓄電装置１０５の過充電を説明する。蓄電装置１０５の充電が過剰に行われた場合、蓄電装置１０５の劣化が進行する。つまり、蓄電装置１０５の過充電によって、蓄電装置１０５の劣化が進行する。
【０１２７】
図１３は、図１および図２に示された蓄電装置１０５の軽度の過充電と想定される電池残量の変化を模式的に示すグラフである。図１３において、図４と同様に、縦軸は蓄電装置１０５の電池残量を示し、横軸は時間を示す。図１３では、複数回、電池残量が推奨レベルよりも高い所定の第１過充電判定閾値を上回っている。つまり、充電が過剰に行われている。これにより、蓄電装置１０５の劣化が進行すると想定される。
【０１２８】
図１４は、図１および図２に示された蓄電装置１０５の重度の過充電と想定される電池残量の変化を模式的に示すグラフである。図１４において、図１３と同様に、縦軸は蓄電装置１０５の電池残量を示し、横軸は時間を示す。図１３では、複数回、電池残量が第１過充電判定閾値よりも高い第２過充電判定閾値を上回っている。つまり、充電が過剰に行われている。これにより、蓄電装置１０５の劣化がさらに進行すると想定される。
【０１２９】
図１５は、図１および図２に示された蓄電装置１０５の過充電に関する指標を示すテーブル図である。記憶部２０４に、図１５に示された指標が予め格納されていてもよい。
【０１３０】
取得部２１１は、指標によって規定される過充電診断対象期間内の電池残量の複数の最高値を取得する。診断部２１２は、過充電診断対象期間内の複数の単位期間のうち、指標によって規定される過充電判定閾値よりも蓄電装置１０５の最高値が高い単位期間の個数が、指標によって規定される過充電判定個数よりも多い場合、過充電があると診断する。つまり、診断部２１２は、蓄電装置１０５の最高値が過充電判定閾値よりも高い日数が過充電判定個数よりも多い場合、過充電があると診断する。
【０１３１】
図１５の例において、取得部２１１は、７日間について、電池残量の７個の最高値を取得する。診断部２１２は、７日間のうち、最高値が１１０％よりも高い日数が３よりも多い場合、過充電があると診断する。
【０１３２】
図１６は、図１および図２に示された蓄電装置１０５の過充電に関する２段階の指標を示すテーブル図である。記憶部２０４に、図１６に示された指標が予め格納されていてもよい。図１６には、第１過充電診断対象期間と第１過充電判定個数と第１過充電判定閾値との組、および、第２過充電診断対象期間と第２過充電判定個数と第２過充電判定閾値との組で表現される２種類の指標が示されている。
【０１３３】
例えば、取得部２１１は、指標によって規定される第１過充電診断対象期間内の複数の単位期間における電池残量の複数の最高値を取得する。診断部２１２は、第１過充電診断対象期間内の複数の単位期間のうち、指標によって規定される第１過充電判定閾値よりも最高値が高い単位期間の個数が、指標によって規定される第１過充電判定個数よりも多い場合、軽度の過充電があると診断する。つまり、診断部２１２は、過充電診断対象期間において、最高値が第１過充電判定閾値よりも高い日数が第１過充電判定個数よりも多い場合、軽度の過充電があると診断する。
【０１３４】
また、取得部２１１は、指標によって規定される第２過充電診断対象期間内の電池残量の複数の最高値を取得する。診断部２１２は、第２過充電診断対象期間内の複数の単位期間のうち、指標によって規定される第２過充電判定閾値よりも最高値が高い単位期間の個数が、指標によって規定される第２過充電判定個数よりも多い場合、重度の過充電があると診断する。つまり、診断部２１２は、第２過充電診断対象期間において、最高値が第２過充電判定閾値よりも高い日数が第２過充電判定個数よりも多い場合、重度の過充電があると診断する。
【０１３５】
図１６の例において、取得部２１１は、７日間について、電池残量の７個の最高値を取得する。そして、診断部２１２は、７日間のうち、最高値が１１０％よりも高い日数が３よりも多い場合、軽度の過充電があると診断する。また、診断部２１２は、７日間において、最高値が１１５％よりも高い日数が３よりも多い場合、重度の過充電があると診断する。
【０１３６】
これにより、蓄電装置診断システム２１０は、軽度の過充電の有無、および、重度の過充電の有無を診断することができる。つまり、蓄電装置診断システム２１０は、過充電のレベルを診断することができる。
【０１３７】
なお、図１５および図１６の例において、診断部２１２は、複数の単位期間のうち電池残量の最高値が過充電判定閾値よりも高い単位期間の個数を用いているが、電池残量の複数の最高値の平均値を用いてもよい。そして、診断部２１２は、電池残量の複数の最高値の平均値が過充電判定閾値よりも高い場合、過充電があると診断してもよい。
【０１３８】
図１７は、図１および図２に示された蓄電装置診断システム２１０が過充電を診断する動作を示すフローチャートである。
【０１３９】
まず、取得部２１１は、過充電診断対象期間内の複数の単位期間のそれぞれにおける蓄電装置１０５の電池残量の最高値を取得することにより、過充電診断対象期間内の複数の単位期間における電池残量の複数の最高値を取得する（Ｓ３０１）。複数の単位期間のそれぞれは、例えば、２４時間である。
【０１４０】
次に、診断部２１２は、過充電診断対象期間内の複数の単位期間における電池残量の複数の最高値に基づいて、蓄電装置１０５の過充電の有無を診断する（Ｓ３０２）。
【０１４１】
例えば、診断部２１２は、過充電診断対象期間内の複数の単位期間における蓄電装置１０５の電池残量の複数の最高値の平均値が所定の過充電判定閾値よりも高い場合、過充電があると診断してもよい。また、例えば、診断部２１２は、過充電診断対象期間内の複数の単位期間のうち電池残量の最高値が所定の過充電判定閾値よりも高い単位期間の個数が所定の過充電判定個数よりも多い場合、過充電があると診断してもよい。
【０１４２】
また、診断部２１２は、蓄電装置１０５の過充電の有無に関する診断結果を通知してもよい。
【０１４３】
そして、制御部２１３は、診断部２１２によって過充電があると診断された場合、蓄電装置１０５の充電量を減少させるための制御を行う（Ｓ３０３）。例えば、制御部２１３は、第１変換部１０２の出力電圧を下げることにより、蓄電装置１０５の充電量を減少させてもよい。
【０１４４】
なお、制御部２１３が行う制御（Ｓ３０３）は省略されてもよい。蓄電装置診断システム２１０は、過充電の有無に関する診断結果をユーザに通知することにより、第１変換部１０２の設定変更等の運用改善をユーザに促してもよい。
【０１４５】
また、制御部２１３は、複数の過充電診断対象期間を含む所定の猶予期間（例えば、６０日間）以上、診断部２１２によって過充電があると継続して診断された場合のみ、蓄電装置１０５の充電量を減少させるための制御を行ってもよい。つまり、制御部２１３は、ユーザによって運用改善が行われなかった場合のみ、蓄電装置１０５の充電量を増加させるための制御を行ってもよい。
【０１４６】
［５．容量低下］
蓄電装置１０５の電池容量は、蓄電装置１０５におけるヒューズの破損（溶断）等によって突発的に低下する場合がある。
【０１４７】
図１８は、図１および図２に示された蓄電装置１０５の電池残量と電池電圧との関係を模式的に示すグラフである。図１８において、縦軸は蓄電装置１０５の電池残量を示し、横軸は蓄電装置１０５の電池電圧を示す。
【０１４８】
例えば、計測部２０３は、所定の時間間隔（例えば、１時間）毎に、電池残量と電池電圧とを計測し、電池残量と電池電圧とを対応付けて記憶部２０４へ格納する。取得部２１１は、単位期間（例えば、２４時間）毎に、最も低い電池残量（つまり、電池残量の最低値）と、その電池残量に対応付けられた電池電圧とを取得する。図１８は、単位期間毎に取得された電池残量（最低値）と電池電圧との関係を示している。
【０１４９】
図１８のように、通常時において、電池残量と電池電圧とは相関関係を有する。つまり、電池残量が高いほど、電池電圧が高い。
【０１５０】
一方、上述した通り、蓄電装置１０５の電池容量は、蓄電装置１０５におけるヒューズの破損（溶断）等によって突発的に低下する場合がある。例えば、蓄電装置１０５が４直６並列の組電池を備え、その組電池の１列のヒューズが破損した場合、４直５並列で蓄電装置１０５の運転が行われ、電池容量は５／６に低下する。このような場合、蓄電装置１０５の入出力電力で計測される電池残量に変化は生じないが、実際の電池残量は低下し、電池電圧が低下する。
【０１５１】
したがって、実際の電池容量および電池残量の低下が、電池電圧の低下として現れる。つまり、図１８の例のように、同じレベルの電池残量に対して、異常時（実際の電池容量の低下時）の電池電圧は、通常時の電池電圧よりも低い傾向がある。
【０１５２】
そこで、蓄電装置診断システム２１０は、最も低い電池残量（電池残量の最低値）によって定められる電圧範囲に蓄電装置１０５の電池電圧が含まれないケースが多い場合、容量低下があると診断する。
【０１５３】
なお、最も高い電池残量（電池残量の最高値）が計測される時点は充電中であると推測され、充電電圧が計測される可能性が高く、適切な電池電圧を計測することが困難であると想定される。そのため、蓄電装置診断システム２１０は、最も低い電池残量（電池残量の最低値）と、その電池残量に対応付けられた電池電圧とを用いて、容量低下の有無を診断する。
【０１５４】
具体的には、取得部２１１は、複数の単位期間のそれぞれにおける蓄電装置１０５の電池残量の最低値、および、電池残量が最低値である時点における蓄電装置１０５の電池電圧を取得する。これにより、取得部２１１は、複数の単位期間における電池残量の複数の最低値および蓄電装置１０５の複数の電池電圧を取得する。診断部２１２は、複数の単位期間における電池残量の複数の最低値および蓄電装置１０５の複数の電池電圧に基づいて、蓄電装置１０５の容量低下の有無を診断する。
【０１５５】
例えば、診断部２１２は、複数の単位期間における電池残量の複数の最低値および蓄電装置１０５の複数の電池電圧に基づいて、線形近似直線ｙ＝ａｘ＋ｂを導出する。ここで、ｙは電池残量を示し、ｘは電池電圧を示す。また、ａおよびｂは、それぞれ、線形近似直線を特定するための定数を示す。そして、診断部２１２は、９５％の信頼区間で線形近似直線の誤差範囲ｙ＝ａｘ＋ｂ±ｃを導出する。ここで、ｃは、誤差範囲を特定するための定数を示す。
【０１５６】
そして、診断部２１２は、蓄電装置１０５の電池残量の最低値と蓄電装置１０５の電池電圧とが誤差範囲に含まれない単位期間の個数が所定の容量低下判定個数よりも多い場合、容量低下があると診断する。言い換えれば、診断部２１２は、蓄電装置１０５の電池残量の最低値によって定められる電圧範囲に蓄電装置１０５の電池電圧が含まれない単位期間の個数が所定の容量低下判定個数よりも多い場合、容量低下があると診断する。
【０１５７】
上記の例では、線形近似直線ｙ＝ａｘ＋ｂ、および、誤差範囲ｙ＝ａｘ＋ｂ±ｃが、電池残量の複数の最低値および蓄電装置１０５の複数の電池電圧に基づいているが、これらは予め規定されていてもよい。つまり、電池残量の最低値に対応する電圧範囲が予め規定されていてもよい。
【０１５８】
図１９は、図１および図２に示された蓄電装置診断システム２１０が容量低下を診断する動作を示すフローチャートである。
【０１５９】
まず、取得部２１１は、容量低下診断対象期間内の複数の単位期間のそれぞれにおける蓄電装置１０５の電池残量の最低値、および、蓄電装置１０５の電池残量が最低値である時点における蓄電装置１０５の電池電圧を取得する。これにより、取得部２１１は、容量低下診断対象期間内の複数の単位期間における電池残量の複数の最低値および蓄電装置１０５の複数の電池電圧を取得する（Ｓ４０１）。複数の単位期間のそれぞれは、例えば、２４時間である。
【０１６０】
次に、診断部２１２は、容量低下診断対象期間内の複数の単位期間における電池残量の複数の最低値および蓄電装置１０５の複数の電池電圧に基づいて、蓄電装置１０５の容量低下の有無を診断する（Ｓ４０２）。
【０１６１】
例えば、診断部２１２は、容量低下診断対象期間内の複数の単位期間のうち電池残量の最低値によって定められる電圧範囲に蓄電装置１０５の電池電圧が含まれない単位期間の個数が所定の容量低下判定個数よりも多い場合、容量低下があると診断してもよい。また、診断部２１２は、蓄電装置１０５の容量低下の有無に関する診断結果を通知してもよい。
【０１６２】
［６．診断結果］
診断部２１２は、通知部２０１等を介して、ユーザに蓄電装置１０５の診断結果を通知する。蓄電装置１０５の診断結果は、蓄電装置１０５の過放電の有無、蓄電装置１０５の充電不足の有無、蓄電装置１０５の過充電の有無、および、蓄電装置１０５の容量低下の有無のうち、少なくとも１つを含む。これにより、運用が改善され、蓄電装置１０５が適切に運転される。
【０１６３】
例えば、診断部２１２は、過放電の場合、ユーザに過放電を通知することにより、ユーザに負荷３００の数の減少を促してもよい。また、診断部２１２は、充電不足の場合、ユーザに充電不足を通知することにより、ユーザに負荷３００の数の減少を促してもよいし、ユーザに第１変換部１０２の設定変更を促してもよい。また、診断部２１２は、過充電の場合、ユーザに過充電を通知することにより、ユーザに第１変換部１０２の設定変更を促してもよい。
【０１６４】
また、診断部２１２は、容量低下の場合、ユーザに容量低下を通知することにより、ユーザに蓄電装置１０５のヒューズ交換を促してもよい。
【０１６５】
また、診断結果には、診断に用いられた情報が含まれてもよい。例えば、診断結果には、電池残量の最低値が含まれてもよいし、電池残量の最高値が含まれてもよいし、電池残量が最低値である時点における電池電圧が含まれてもよい。
【０１６６】
図２０は、図１および図２に示された蓄電装置１０５の診断結果の表示を示す模式図である。図２０の例は、重度の充電不足があると診断された場合の表示例である。
【０１６７】
診断部２１２は、電力供給制御装置２００などのディスプレイに診断結果を表示してもよいし、通信ネットワークを介して他の通信装置のディスプレイに診断結果を表示してもよい。例えば、蓄電装置診断システム２１０は、通信ネットワークを介して情報を収集し、収集された情報に基づいて蓄電装置１０５の状態を診断し、通信ネットワークを介してスマートフォンなどの通信装置に診断結果を表示してもよい。
【０１６８】
図２１は、図１および図２に示された蓄電装置１０５の診断結果のレポートを示す模式図である。図２１の例は、重度の充電不足があると診断された場合の出力例である。例えば、診断部２１２は、蓄電装置１０５の診断結果のレポートを紙で出力してもよい。
【０１６９】
［７．補足］
上記において、単位期間の例として２４時間が示されている。２４時間の単位期間の開始時刻は、０時でもよいし、０時からずれていてもよい。また、単位期間は２４時間でなくてもよい。
【０１７０】
ただし、蓄電装置１０５が太陽電池１０１等と連携する場合、電池残量の主要なピークおよび主要なボトムの各発生頻度は、２４時間に１回または２回程度であると想定される。したがって、この場合、蓄電装置診断システム２１０は、２４時間の単位期間を用いることで、電池残量の主要なピークおよび主要なボトムを適切に取得することができる。そして、蓄電装置診断システム２１０は、２４時間の単位期間を用いることで、適切に過放電、充電不足、過充電および容量低下を診断することができる。
【０１７１】
また、蓄電装置診断システム２１０は、過放電、充電不足、過充電および容量低下のうちいずれかのみを診断してもよい。蓄電装置診断システム２１０は、過放電、充電不足、過充電および容量低下のうち少なくとも１つを診断してもよい。
【０１７２】
また、診断部２１２は、計測部２０３が電池残量を計測するための式１の電池容量を蓄電装置１０５の劣化に基づいて補正してもよい。例えば、蓄電装置１０５の電池容量は、蓄電装置１０５の劣化によって低下する。そのため、診断部２１２は、蓄電装置１０５の劣化によって低下する電池容量を式１における電池容量に反映させてもよい。
【０１７３】
具体的には、図３のように、サイクル数の増加に伴って、蓄電装置１０５が劣化し、蓄電装置１０５の電池容量が低下する。また、診断部２１２は、過放電、充電不足および過充電等によって、蓄電装置１０５がより速く劣化し、蓄電装置１０５の電池容量がより速く低下する。
【０１７４】
したがって、診断部２１２は、サイクル数、過放電、充電不足および過充電等に基づいて、蓄電装置１０５の電池容量を推定してもよい。そして、診断部２１２は、推定された電池容量を計測部２０３等に通知することにより、推定された電池容量を式１の電池容量に反映させてもよい。
【０１７５】
以上、本発明に係る蓄電装置診断システム２１０について、実施の形態に基づいて説明したが、本発明は、実施の形態に限定されない。実施の形態に対して当業者が思いつく変形を施して得られる形態、および、実施の形態における複数の構成要素を任意に組み合わせて実現される別の形態も本発明に含まれる。
【０１７６】
例えば、特定の構成要素が実行する処理を別の構成要素が実行してもよい。また、処理を実行する順番が変更されてもよいし、複数の処理が並行して実行されてもよい。
【０１７７】
また、本発明は、蓄電装置診断システム２１０として実現できるだけでなく、蓄電装置診断システム２１０を構成する各構成要素が行うステップ（処理）を含む蓄電装置診断方法として実現できる。
【０１７８】
例えば、それらのステップは、蓄電装置診断システム２１０に含まれるコンピュータ（コンピュータシステム）によって実行される。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１７９】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１８０】
また、蓄電装置診断システム２１０等に含まれる複数の構成要素は、それぞれ、専用または汎用の回路として実現されてもよい。これらの構成要素は、１つの回路として実現されてもよいし、複数の回路として実現されてもよい。
【０１８１】
また、蓄電装置診断システム２１０等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１８２】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１８３】
さらに、半導体技術の進歩または派生する別技術によりＬＳＩに置き換わる集積回路化の技術が登場すれば、当然、その技術を用いて、蓄電装置診断システム２１０に含まれる複数の構成要素の集積回路化が行われてもよい。
【０１８４】
最後に、蓄電装置診断システム２１０等の複数の態様を例として示す。これらの態様は、適宜、組み合わされてもよい。また、上記の実施の形態に示された任意の構成等が追加されてもよい。
【０１８５】
（第１態様）
本発明の一態様に係る蓄電装置診断システム２１０は、取得部２１１と、診断部２１２とを備える。取得部２１１は、過放電診断対象期間内の複数の単位期間のそれぞれにおける蓄電装置１０５の電池残量の最低値を取得することにより、過放電診断対象期間内の複数の単位期間における電池残量の複数の最低値を取得する。診断部２１２は、過放電診断対象期間内の複数の単位期間における電池残量の複数の最低値に基づいて、蓄電装置１０５の過放電の有無を診断する。
【０１８６】
これにより、蓄電装置診断システム２１０は、複数の単位期間における電池残量の複数の最低値に基づいて、蓄電装置１０５の過放電の有無を適切に診断することができる。すなわち、蓄電装置診断システム２１０は、蓄電装置１０５の運転中に計測され得る十分な情報に基づいて、蓄電装置１０５の劣化を招く過放電の有無を適切に診断することができる。
【０１８７】
したがって、蓄電装置診断システム２１０は、蓄電装置１０５の状態を適切に診断することができる。そして、蓄電装置診断システム２１０は、蓄電装置１０５の有効利用を支援することができる。
【０１８８】
（第２態様）
例えば、診断部２１２は、過放電診断対象期間内の複数の単位期間における電池残量の複数の最低値の平均値が所定の過放電判定閾値よりも低い場合、過放電があると診断してもよい。あるいは、診断部２１２は、過放電診断対象期間内の複数の単位期間のうち電池残量の最低値が所定の過放電判定閾値よりも低い単位期間の個数が所定の過放電判定個数よりも多い場合、過放電があると診断してもよい。
【０１８９】
これにより、蓄電装置診断システム２１０は、複数の単位期間における電池残量の複数の最低値と、所定の過放電判定閾値との関係に基づいて、蓄電装置１０５の過放電の有無を適切に診断することができる。
【０１９０】
（第３態様）
例えば、蓄電装置診断システム２１０は、さらに、過放電があると診断された場合、蓄電装置１０５の放電量を減少させるための制御を行う制御部２１３を備えてもよい。これにより、蓄電装置診断システム２１０は、蓄電装置１０５の過放電を解消するための制御を行うことができる。すなわち、蓄電装置診断システム２１０は、蓄電装置１０５の劣化を抑制するための制御を行うことができる。
【０１９１】
（第４態様）
例えば、取得部２１１は、さらに、充電不足診断対象期間内の複数の単位期間のそれぞれにおける電池残量の最高値を取得することにより、充電不足診断対象期間内の複数の単位期間における電池残量の複数の最高値を取得してもよい。そして、診断部２１２は、さらに、充電不足診断対象期間内の複数の単位期間における電池残量の複数の最高値に基づいて、蓄電装置１０５の充電不足の有無を診断してもよい。
【０１９２】
これにより、蓄電装置診断システム２１０は、複数の単位期間における電池残量の複数の最高値に基づいて、蓄電装置１０５の充電不足の有無を適切に診断することができる。すなわち、蓄電装置診断システム２１０は、蓄電装置１０５の運転中に計測され得る十分な情報に基づいて、蓄電装置１０５の劣化を招く充電不足の有無を適切に診断することができる。
【０１９３】
したがって、蓄電装置診断システム２１０は、蓄電装置１０５の状態を適切に診断することができる。そして、蓄電装置診断システム２１０は、蓄電装置１０５の有効利用を支援することができる。
【０１９４】
（第５態様）
例えば、診断部２１２は、充電不足診断対象期間内の複数の単位期間における電池残量の複数の最高値の平均値が所定の充電不足判定閾値よりも低い場合、充電不足があると診断してもよい。あるいは、診断部２１２は、充電不足診断対象期間内の複数の単位期間のうち電池残量の最高値が所定の充電不足判定閾値よりも低い単位期間の個数が所定の充電不足判定個数よりも多い場合、充電不足があると診断してもよい。
【０１９５】
これにより、蓄電装置診断システム２１０は、複数の単位期間における電池残量の複数の最高値と、所定の充電不足判定閾値との関係に基づいて、蓄電装置１０５の充電不足の有無を適切に診断することができる。
【０１９６】
（第６態様）
例えば、蓄電装置診断システム２１０は、さらに、充電不足があると診断された場合、蓄電装置１０５の充電量を増加させるための制御を行う制御部２１３を備えてもよい。これにより、蓄電装置診断システム２１０は、蓄電装置１０５の充電不足を解消するための制御を行うことができる。すなわち、蓄電装置診断システム２１０は、蓄電装置１０５の劣化を抑制するための制御を行うことができる。
【０１９７】
（第７態様）
例えば、制御部２１３は、充電不足があると診断された場合、蓄電装置１０５の充電量を増加させるための制御を一時的に行ってもよい。これにより、少なくとも一時的に、充電不足が解消され、長期間において充電不足の状態が継続することが抑制される。
【０１９８】
（第８態様）
例えば、取得部２１１は、さらに、過充電診断対象期間内の複数の単位期間のそれぞれにおける電池残量の最高値を取得することにより、過充電診断対象期間内の複数の単位期間における電池残量の複数の最高値を取得してもよい。そして、診断部２１２は、さらに、過充電診断対象期間内の複数の単位期間における電池残量の複数の最高値に基づいて、蓄電装置１０５の過充電の有無を診断してもよい。
【０１９９】
これにより、蓄電装置診断システム２１０は、複数の単位期間における電池残量の複数の最高値に基づいて、蓄電装置１０５の過充電の有無を適切に診断することができる。すなわち、蓄電装置診断システム２１０は、蓄電装置１０５の運転中に計測され得る十分な情報に基づいて、蓄電装置１０５の劣化を招く過充電の有無を適切に診断することができる。
【０２００】
したがって、蓄電装置診断システム２１０は、蓄電装置１０５の状態を適切に診断することができる。そして、蓄電装置診断システム２１０は、蓄電装置１０５の有効利用を支援することができる。
【０２０１】
（第９態様）
例えば、診断部２１２は、過充電診断対象期間内の複数の単位期間における電池残量の複数の最高値の平均値が所定の過充電判定閾値よりも高い場合、過充電があると診断してもよい。あるいは、診断部２１２は、過充電診断対象期間内の複数の単位期間のうち電池残量の最高値が所定の過充電判定閾値よりも高い単位期間の個数が所定の過充電判定個数よりも多い場合、過充電があると診断してもよい。
【０２０２】
これにより、蓄電装置診断システム２１０は、複数の単位期間における電池残量の複数の最高値と、所定の過充電判定閾値との関係に基づいて、蓄電装置１０５の過充電の有無を適切に診断することができる。
【０２０３】
（第１０態様）
例えば、蓄電装置診断システム２１０は、さらに、過充電があると診断された場合、蓄電装置１０５の充電量を減少させるための制御を行う制御部２１３を備えてもよい。これにより、蓄電装置診断システム２１０は、蓄電装置１０５の過充電を解消するための制御を行うことができる。すなわち、蓄電装置診断システム２１０は、蓄電装置１０５の劣化を抑制するための制御を行うことができる。
【０２０４】
（第１１態様）
例えば、取得部２１１は、さらに、容量低下診断対象期間内の複数の単位期間のそれぞれにおける電池残量の最低値と、電池残量が最低値である時点の蓄電装置１０５の電池電圧とを取得してもよい。そして、これにより、取得部２１１は、容量低下診断対象期間内の複数の単位期間における電池残量の複数の最低値と蓄電装置１０５の複数の電池電圧とを取得してもよい。
【０２０５】
そして、診断部２１２は、さらに、容量低下診断対象期間内の複数の単位期間における電池残量の複数の最低値と蓄電装置１０５の複数の電池電圧とに基づいて、蓄電装置１０５の容量低下の有無を診断してもよい。
【０２０６】
これにより、蓄電装置診断システム２１０は、複数の単位期間における電池残量の複数の最低値と蓄電装置１０５の複数の電池電圧とに基づいて、蓄電装置１０５の容量低下の有無を適切に診断することができる。すなわち、蓄電装置診断システム２１０は、蓄電装置１０５の運転中に計測され得る十分な情報に基づいて、蓄電装置１０５のヒューズ破損等に基づく容量低下の有無を適切に診断することができる。
【０２０７】
したがって、蓄電装置診断システム２１０は、蓄電装置１０５の状態を適切に診断することができる。そして、蓄電装置診断システム２１０は、蓄電装置１０５のメンテナンスを支援することができる。
【０２０８】
（第１２態様）
例えば、診断部２１２は、容量低下診断対象期間内の複数の単位期間のうち電圧範囲に蓄電装置１０５の電池電圧が含まれない単位期間の個数が所定の容量低下判定個数よりも多い場合、容量低下があると診断してもよい。ここで、電圧範囲は、電池残量の最低値によって定められる。これにより、蓄電装置診断システム２１０は、電池残量の最低値と、電池残量の最低値によって定められる電圧範囲との関係に基づいて、蓄電装置１０５の容量低下の有無を適切に診断することができる。
【０２０９】
（第１３態様）
例えば、複数の単位期間のそれぞれは、２４時間であってもよい。これにより、蓄電装置診断システム２１０は、蓄電装置１０５の電池残量に関する情報を適切に取得することができる。具体的には、蓄電装置１０５は、電池残量が２４時間周期で変化し、かつ、電池残量の主要なピークまたはボトムが２４時間に１回または２回程度発生するような形態で、利用されることが多い。したがって、蓄電装置診断システム２１０は、２４時間の単位期間を用いることで、電池残量に関する情報を適切に取得することができる。
【０２１０】
（第１４態様）
本発明の一態様に係る蓄電装置診断方法は、取得ステップ（Ｓ１０１）と診断ステップ（Ｓ１０２）とを含む。取得ステップ（Ｓ１０１）では、過放電診断対象期間内の複数の単位期間のそれぞれにおける蓄電装置１０５の電池残量の最低値を取得することにより、過放電診断対象期間内の複数の単位期間における電池残量の複数の最低値を取得する。診断ステップ（Ｓ１０２）では、過放電診断対象期間内の複数の単位期間における電池残量の複数の最低値に基づいて、蓄電装置１０５の過放電の有無を診断する。
【０２１１】
これにより、複数の単位期間における電池残量の複数の最低値に基づいて、蓄電装置１０５の過放電の有無が適切に診断される。すなわち、蓄電装置１０５の運転中に計測され得る十分な情報に基づいて、蓄電装置１０５の劣化を招く過放電の有無が適切に診断される。したがって、蓄電装置１０５の状態が適切に診断される。そして、蓄電装置診断方法によって、蓄電装置１０５の有効利用の支援が可能である。
【０２１２】
（第１５態様）
本発明の一態様に係るプログラムは、蓄電装置診断方法をコンピュータに実行させるためのプログラムである。これにより、蓄電装置診断方法がプログラムとして実現される。
【符号の説明】
【０２１３】
１０５  蓄電装置
２１０  蓄電装置診断システム
２１１  取得部
２１２  診断部
２１３  制御部
【図１】
2018045844.tif 000003
【図２】
2018045844.tif 000004
【図３】
2018045844.tif 000005
【図４】
2018045844.tif 000006
【図５】
2018045844.tif 000007
【図６】
2018045844.tif 000008
【図７】
2018045844.tif 000009
【図８】
2018045844.tif 000010
【図９】
2018045844.tif 000011
【図１０】
2018045844.tif 000012
【図１１】
2018045844.tif 000013
【図１２】
2018045844.tif 000014
【図１３】
2018045844.tif 000015
【図１４】
2018045844.tif 000016
【図１５】
2018045844.tif 000017
【図１６】
2018045844.tif 000018
【図１７】
2018045844.tif 000019
【図１８】
2018045844.tif 000020
【図１９】
2018045844.tif 000021
【図２０】
2018045844.tif 000022
【図２１】
2018045844.tif 000023